(57)【特許請求の範囲】
【請求項１】
ユーザにより指示される時刻を設定する設定手段と、
上記設定手段により設定された時刻に応じて当該電子機器の動作を制御する動作制御手段と、
上記電子機器を操作するための操作手段を表示する表示手段と、
上記動作制御手段に応じて上記電子機器が動作しているとき、上記表示手段に特定表示が表示されるように上記表示手段を制御する表示制御手段と、
上記特定表示に対するユーザの押圧指示を検出する指示検出手段と、
データを記憶する記憶手段と、
少なくとも上記記憶手段に記憶されるデータを再生する再生手段と、
上記記憶手段にデータを記録する記録手段と、を備え、
上記設定手段は、上記電子機器の動作として、上記再生手段による再生動作、上記記録手段による記録動作が選択可能であり、
上記指示検出手段によりユーザの押圧指示が検出されたとき、
上記表示制御手段は、上記特定表示の表示を終了するとともに、
上記動作制御手段は、上記設定手段により設定された時刻を無視するとともに、上記ユーザの押圧指示が検出されたときの上記電子機器の動作を継続するように制御する
ことを特徴とする電子機器。
【請求項２】
上記設定手段は、少なくとも上記電子機器の所定の動作の終了時刻を設定するものであることを特徴とする請求項１に記載の電子機器。
【請求項３】
上記動作制御手段は、上記指示検出手段によりユーザの指示が検出されたとき、上記設定手段により設定された終了時刻を過ぎても上記ユーザの指示が検出されたときの上記電子機器の動作を継続するように制御することを特徴とする請求項２に記載の電子機器。
【請求項４】
上記設定手段は、上記電子機器の動作の種類、及び当該動作の開始時刻及び終了時刻を設定するものであることを特徴とする請求項２に記載の電子機器。
【請求項５】
上記電子機器は、
更に、外部ソースから所望のデータをダウンロード可能な受信手段を備え、
上記設定手段は、上記電子機器の動作として、上記受信手段により上記外部ソースからデータをダウンロードするダウンロード動作が選択可能であること
を特徴とする請求項４に記載の電子機器。
【請求項６】
上記指示検出手段によりユーザの指示が検出されたとき、
上記動作制御手段は、上記設定手段により設定された時刻を無視するとともに、上記ユーザの指示が検出されたときの上記電子機器の動作を継続するか、上記設定手段により設定された時刻を無効にし、且つ上記電子機器の動作を中止するか
を選択的に制御可能であることを特徴とする請求項１に記載の電子機器。
【請求項７】
上記指示検出手段は、上記特定表示に対するユーザの押圧指示を検出するために、上記表示手段の座標値を検出することを特徴とする請求項１に記載の電子機器。
【請求項８】
データを記憶する記憶手段と、少なくとも上記記憶手段に記憶されるデータを再生する再生手段と、上記記憶手段にデータを記録する記録手段とを備え、上記設定手段は、上記電子機器の動作として、上記再生手段による再生動作、上記記録手段による記録動作が選択可能である電子機器における動作制御方法であって、
ユーザにより指示される時刻を設定する設定ステップと、
上記設定された時刻に応じて当該電子機器の動作を制御する動作制御ステップと、
上記電子機器が動作しているとき、特定表示が表示されるように表示手段を制御する表示制御ステップと、
上記特定表示に対するユーザの押圧指示を検出する指示検出ステップと、
上記指示検出ステップにおいてユーザの押圧指示が検出されたとき、上記特定表示の表示が終了され、上記設定された時刻が無視されるとともに、上記ユーザの押圧指示が検出されたときの上記電子機器の動作が継続されるように制御するステップと、を実行する
ことを特徴とする電子機器の動作制御方法。
【発明の詳細な説明】
【０００１】
【発明の属する技術分野】
本発明は、タイマによって動作制御を行うことができる電子機器、及び電子機器の動作制御方法に関するものである。
【０００２】
【従来の技術】
最近では、タイマ機能を有したオーディオ機器が知られている。このタイマ機能とは、例えばユーザがあらかじめ設定したタイマ指定時刻（開始時刻、終了時刻）に、オーディオ機器の例えば電源オン、オフ制御を行うとともに、例えばチューナによる放送番組の受信や、またはオーディオＣＤの再生などの動作を実行させることができる機能とされる。すなわち、タイマ指定時刻とされる開始時刻に、例えばチューナを「オン」にするように設定することで、タイマ機能によって計測されている現在の時刻が開始時刻となった場合にチューナが動作するように制御される。したがって、ユーザは例えば起床予定時間を開始時刻として設定して、当該オーディオ機器を目覚ましとして利用することが可能になる。また、開始時間から所要の時間を経た時間を終了時刻として設定しておくことで、現在の時刻が終了時間となったときに例えば電源オフとなるようにされる。
このように、タイマ指定時刻が設定されていればユーザのマニュアル操作を必要とせずに、オーディオ機器の電源オン・オフ動作などを制御することができるようになる。
【０００３】
またこのようなタイマ機能はオーディオ機器以外にも、例えば室内空調を行うためのエアコンディショナー（エアコン）などの電子機器にも用いられ、指定した時刻にエアコンの動作制御（開始、動作）を行うことができるようにされている。
【０００４】
【発明が解決しようとする課題】
ところで、タイマ機能によって電源がオンとなった状態で例えばチューナによる放送番組を聴いている場合、終了時刻間際になって好みの曲や興味のあるニュースが放送されていると、ユーザとしてはさらに引き続き放送番組を聴き続けたいと思うことがある。
このような場合、タイマ指定時刻をキャンセルする（無効にする）ための操作を行うことが必要になり、例えばタイマ機能専用のメカニカルな操作キーを備えたオーディオ機器が知られている。しかし、タイマ機能を利用しない場合、タイマ機能に関わる操作子は無用なものとなってしまう。
また、前記操作キーはタイマ機能を利用しない場合にも、無用な操作子が備えられた状態となるので、各種操作を行う上でユーザの混乱を招く原因となる場合がある。
【０００５】
【課題を解決するための手段】
本発明はこのような問題点を解決するために、ユーザにより指示される時刻を設定する設定手段と、上記設定手段により設定された時刻に応じて当該電子機器の動作を制御する動作制御手段と、上記電子機器を操作するための操作手段を表示する表示手段と、上記動作制御手段に応じて上記電子機器が動作しているとき、上記表示手段に特定表示が表示されるように上記表示手段を制御する表示制御手段と、上記特定表示に対するユーザの押圧指示を検出する指示検出手段と、データを記憶する記憶手段と、少なくとも上記記憶手段に記憶されるデータを再生する再生手段と、上記記憶手段にデータを記録する記録手段と、を備え、上記設定手段は、上記電子機器の動作として、上記再生手段による再生動作、上記記録手段による記録動作が選択可能であり、上記指示検出手段によりユーザの押圧指示が検出されたとき、上記表示制御手段は、上記特定表示の表示を終了するとともに、上記動作制御手段は、上記設定手段により設定された時刻を無視するとともに、上記ユーザの押圧指示が検出されたときの上記電子機器の動作を継続するように制御するように電子機器を構成する。
【０００６】
さらに、本発明の電子機器の動作制御方法は、データを記憶する記憶手段と、少なくとも上記記憶手段に記憶されるデータを再生する再生手段と、上記記憶手段にデータを記録する記録手段とを備え、上記設定手段は、上記電子機器の動作として、上記再生手段による再生動作、上記記録手段による記録動作が選択可能である電子機器における動作制御方法であって、ユーザにより指示される時刻を設定する設定ステップと、上記設定された時刻に応じて当該電子機器の動作を制御する動作制御ステップと、上記電子機器が動作しているとき、特定表示が表示されるように表示手段を制御する表示制御ステップと、上記特定表示に対するユーザの押圧指示を検出する指示検出ステップと、上記指示検出ステップにおいてユーザの押圧指示が検出されたとき、上記特定表示の表示が終了され、上記設定された時刻が無視されるとともに、上記ユーザの押圧指示が検出されたときの上記電子機器の動作が継続されるように制御するステップと、を実行する。
【０００７】
【発明の実施の形態】
以下、本発明の電子機器の実施の形態として記録再生装置を例に挙げて説明していく。まずその記録再生装置を含む情報配信システム例を述べ、その後、記録再生装置における特徴的な動作例を説明する。
説明は次の順序で行う。
１．情報配信システムの概要
２．記録再生装置および携帯装置の外観例
３．記録再生装置の内部構成
４．表示部の表示例
５．タイマ予約時の処理動作
【０００８】
１．情報配信システムの概要
図１は本実施の形態の記録再生装置が含まれる情報配信システムの概要を示すものである。
この情報配信システムは、基本的には、一般ユーザが家庭２などで用いる記録再生装置１０と、記録再生装置１０の使用に関する情報サービス組織としての情報センタ１とから構成される。
情報センタ１と記録再生装置１０は、通信回線３を用いて各種情報の通信が可能とされている。通信回線３は例えばＩＳＤＮ回線などの公衆回線網としてもよいし、当該システムのための専用回線網などを構築してもよく、その回線の形態は特に限定されない。
また通信衛星４や各家庭２に設置したパラボラアンテナ５などを利用した衛星通信回線を構成し、情報センタ１と記録再生装置１０との情報通信が可能とされるようにしてもよい。
【０００９】
一般ユーザが使用する本実施の形態の記録再生装置１０は、詳しくは後述するが、内部に大容量のデータファイル格納部（例えば図３のハードディスクドライブ１５）を備えるとともに、ＣＤ、ＭＤなどのパッケージメディアのドライブ機能や、放送番組を受信するチューナ、また他の機器からのデータ入力機能、通信回線を介したデータ入力機能などを備えており、ＣＤ、ＣＤ−ＲＯＭ、ＭＤなどのユーザが購入したメディアから再生されるオーディオデータ、ビデオデータ、その他の各種データや、他の機器や通信回線から入力される各種データを、それぞれファイルとして格納していくことができる。
【００１０】
そして格納されたファイル（例えばＣＤ、ＭＤなどの場合、音楽等を１曲単位で１つのファイルとして格納している）については、ユーザが任意に再生させることなどが可能となる。したがって、例えば多数のＣＤを有するユーザが、全ＣＤの全楽曲をそれぞれ１つのファイルとして記録再生装置１０内に格納しておけば、わざわざＣＤ等を選び出して装着しなくても、所望の楽曲等の再生を実行させることができる。
【００１１】
このような記録再生装置１０に対して、情報センタ１は有料または無料で各種の情報を提供することができる。
例えば記録再生装置１０に格納されている楽曲等のファイルに関連する情報（付加情報）として、曲名（トラックネーム）、アーティスト名、歌詞などのテキストデータ、楽曲イメージやアーティストの画像、アルバムジャケットなどの画像データ、アーティストのインターネットホームページのアドレス（ＵＲＬ：Uniform Resource Locator）、著作権に関する情報、関係者名（作詞者、作曲者、制作者等）・・・・などの情報を提供することができる。例えば記録再生装置１０ではこれら情報センタから提供された情報を曲のファイルと対応させて格納しておき、表示出力に利用するなど各種動作を行うことができる。
【００１２】
また場合によっては、情報センタ１はオーディオデータ自体、すなわち楽曲等を記録再生装置１０に送信し、ファイルとして格納させることで、いわゆるパッケージメディアとしてのＣＤ等とは異なった楽曲等の販売／提供システムを構築することも可能である。
【００１３】
このシステム例では、ユーザが使用する装置として、記録再生装置１０と接続可能な携帯用の記録再生装置５０（以下、携帯装置という）がある。
なお携帯装置５０についての詳細な説明は省略するが、その内部にオーディオデータ等のファイルを格納することができるデータファイル格納部（例えば固体メモリなど）を備えた構成とされる。
そして記録再生装置１０と接続された際に、記録再生装置１０内に格納されているファイル（楽曲等）を、この携帯装置５０内のデータファイル格納部に複写または移動させることができる。もちろん、逆に携帯装置５０内のデータファイル格納部に格納されたファイルを、記録再生装置１０内のデータファイル格納部に複写または移動させることも可能である。
【００１４】
ユーザは記録再生装置１０内に格納されたファイルのうち任意のファイルを携帯装置５０に移動または複写させることで、そのファイルを携帯装置５０で利用することができる。例えば携帯装置５０を使用する際に、その日に聴きたいと思った楽曲のファイルを移動させることで、例えば外出先でそれらの曲を聴くことなどが可能となる。
【００１５】
２．記録再生装置の外観例
記録再生装置１０、および記録再生装置１０に装填される携帯装置５０の外観例について図２に示す。なお、ここで説明するのはあくまでも一例であり、各機器の外観やユーザーインターフェース構成（操作や表示のための構成）、記録再生装置１０と携帯装置５０の接続形態などは他にも各種の例が考えられる。
【００１６】
図２に示すように記録再生装置１０は例えばユーザの家庭での使用に適するように、いわゆるラジカセ型の機器とされている。もちろんコンポーネントタイプでもよい。
この記録再生装置１０には、ユーザが各種操作を行うための各種の操作子Ｋａとして、操作キーや操作つまみ、ジョグダイヤルと呼ばれる回動プッシュ式のキーなどが、機器前面パネルなどに設けられている。
またユーザに対する出力部位として、再生音声等を出力するスピーカ３５や、各種情報を表示出力する表示部２４が設けられる。表示部２４は例えば液晶パネルなどで形成される。
【００１７】
また、ユーザが所有するＣＤ方式のディスク（オーディオＣＤ、ＣＤ−ＲＯＭ、ＣＤテキストなど）を記録再生装置１０で再生させたり、後述する内部のハードディスクにデータダビング等を行うために、ＣＤ方式のディスクが装着されるＣＤ−ＲＯＭドライブ１７のＣＤ挿入部が設けられる。
同様に、ユーザが所有するＭＤ方式のディスク（オーディオＭＤ、ＭＤデータなど）を記録再生装置１０で記録／再生させたり、内部のハードディスクにデータダビング等を行うために、ＭＤ方式のディスクを装着するＭＤドライブ１８のＭＤ挿入部が設けられる。
【００１８】
また、他の機器との接続を行うための各種の端子ｔａが用意される。これらは、マイクロホン、ヘッドホンの接続に用いられる部位とされたり、他のオーディオビジュアル機器やパーソナルコンピュータ等と接続できるライン接続端子、光デジタル接続端子、インターフェースコネクタ等とされている。
【００１９】
また、ユーザの操作入力の手段としては、上記操作子Ｋａ以外に、キーボード９０やリモートコマンダー９１を用いることができる。
キーボード９０は端子ｔａとしてのキーボード用コネクタを介して接続して用いるようにしたり、或いは赤外線送信部をキーボード９０に搭載した場合は、キーボード９０からの操作情報を赤外線無線方式で出力し、受光部２１から記録再生装置１０に入力させることもできる。
リモートコマンダー９１は例えば赤外線方式で操作情報を出力する。そしてその赤外線信号による操作情報は受光部２１から記録再生装置１０に入力される。
なお、キーボード９０を無線方式とする場合の操作情報の出力や、リモートコマンダー９１からの操作情報の出力は、赤外線ではなく電波を用いるようにしてもよい。
【００２０】
さらに、表示部２４とともに入力手段を形成する入力ペン９３が設けられる。すなわち表示部２４にいわゆるＧＵＩとして操作用の画像が表示されるとともに、その表示部２４上の画像に対して入力ペン９３を当てることで、タッチペン入力として、その画像に応じた操作入力が行われるようにするものである。
【００２１】
また記録再生装置１０にはＰＣＭＣＩＡスロット３９が形成され、ＰＣＭＣＩＡカードを装着してのデータのやりとりが可能とされている。
【００２２】
携帯装置５０は、ユーザが携帯して使用を行うことに好適なように小型軽量の機器とされる。
この携帯装置５０には、ユーザが各種操作を行うための各種の操作子Ｋｂとして、操作キーなどが設けられている。図示していないが、もちろんジョグダイヤルなどを設けてもよい。
またユーザに対する出力部位として、再生音声等を出力するスピーカ６８や、各種情報を表示出力する表示部５７が設けられる。表示部５７は例えば液晶パネルなどで形成される。
【００２３】
また、他の機器との接続を行うための各種の端子ｔｂが用意される。これらは、マイクロホン、ヘッドホンの接続に用いられる部位とされたり、他のオーディオビジュアル機器やパーソナルコンピュータ等と接続できるライン接続端子、光デジタル接続端子、インターフェースコネクタ等とされている。
例えばユーザが携帯して音楽等を聴く場合は、スピーカ６８から音声を再生させる他、ヘッドホン９２を端子ｔｂのうちのヘッドホン用端子に接続することで、ヘッドホン９２を用いて音楽等を聴くことができる。
【００２４】
記録再生装置１０と携帯装置５０を接続することで、記録再生装置１０と携帯装置５０の間で各種データ通信（オーディオデータ等の実ファイルデータや、それらの通信時の処理のための制御データなどの通信）が可能とされる。
この例では、記録再生装置１０に、コネクタ２７を有する装着部ＭＴが設けられ、この装着部ＭＴに携帯装置５０を装填することで両機器が接続されるものとしている。携帯装置５０が装着部ＭＴに装填されると、携帯装置５０の下部に設けられたコネクタ６０と、装着部ＭＴ内のコネクタ２７が接続された状態となり、このコネクタ６０，２７を介して両機器の間のデータ通信が行われる。
なお、記録再生装置１０と携帯装置５０の接続は、通信ケーブルを用いたライン接続方式としたり、もしくは赤外線等を利用した無線接続方式としてもよい。
【００２５】
３．記録再生装置の内部構成
続いて記録再生装置１０の内部構成例を図３で説明する。
この記録再生装置１０には、パネル操作部２０としてプッシュ式や回動式の操作子が設けられている。ここでいう操作子とは、図２に示した各種操作子Ｋａに相当する。つまり機器筐体上に形成される各種操作子である。
このパネル操作部２０が操作されることにより、記録再生装置１０の各種動作を実行させるための操作信号が送出され、記録再生装置１０はこの操作信号に応じて動作される。
【００２６】
また、図２で入力ペン９３を示したが、表示部２４に操作キー表示に対して入力ペン９３による入力が行われたことを検出するために入力検出部４２が設けられる。また入力ペン９３を駆動するペンドライバ４１が設けられる。
入力ペン９３による入力方式としては、例えば静電容量検出型が考えられる。すなわち入力ペン９３の先端に電極を設けてペンドライバ４１により駆動するとともに、入力検出部４２として表示部２４の表示面に相当する範囲にマトリクス状に電極を配する。するとペンドライバ４１が触れた位置が、マトリクス状の電極によって静電容量変化位置として検出できるため、その位置に表示されていた操作画像としての操作入力が行われたと判別できる。
なお他の例としては、入力検出部４２として２層にマトリクス状のスイッチ電極を配し、入力ペン９３で押圧された位置でスイッチ電極の接触が検出されるような機械的な構成も考えられる。このような場合はペンドライバ４１は不要であり、また入力ペン９３も専用のものである必要はない。
【００２７】
また、例えば記録されるオーディオ情報に対応する曲名、アーティスト名等の入力を容易にするために、上記したようにキーボード９０やリモートコマンダー９１を利用することができるが、ＵＳＢ(universal serial bus)端子ｔａ６にキーボード９０を接続することで、キーボード９０による入力が可能となる。すなわちキーボード９０からの入力信号（操作信号）はＵＳＢ端子ｔａ６を介してＵＳＢドライバに供給されることで、記録再生装置１０の内部に取り込むことができる。なお、図３における各種の端子ｔａ１〜ｔａ７は、それぞれ図２に示した端子ｔａのうちの１つに相当する。
【００２８】
またリモートコマンダー９１からの赤外線による操作信号（およびキーボード９０が赤外線出力を行う場合の操作信号）は、その赤外線操作信号は受光部２１で光電変換され、赤外線インターフェースドライバ２２に供給されることで、記録再生装置１０の内部に取り込むことができるようにされている。
なお、赤外線インターフェースドライバ２２、或いはＵＳＢドライバ２３を介してデータ転送出力を行うように構成してもよい。
【００２９】
この記録再生装置１０には通常のパーソナルコンピュータの構成であるＲＡＭ１３、ＲＯＭ１２、フラッシュメモリ１４が設けられており、ＣＰＵ１１により記録再生装置１０の全体の動作制御が行われる。
また各ブロック間でのファイルデータや制御データの授受はバスＢ１を介して行われる。
【００３０】
上記のパネル操作部２０、入力ペン９３、リモートコマンダー９１、キーボード９０などにより入力された操作入力信号は、ＣＰＵ１１に転送される。そしてＣＰＵ１１は操作に応じた所定の処理を実行することになる。
このためＲＯＭ１２には、上記パネル操作部２０等が操作されることにより入力される入力信号に応じて記録再生装置１０の動作を制御するプログラム等が記憶されている。
またＲＡＭ１３、フラッシュメモリ１４にはプログラムを実行する上でのデータ領域、タスク領域が一時的に確保される。または、ＲＯＭ１２にはプログラムローダーが記憶されており、そのプログラムローダーによりフラッシュメモリ１４にプログラム自体がロードされることも可能である。
【００３１】
タイマ４５は、現在時刻の計時機能を有するとともに、監視時刻としてのタイマ指定時刻（動作開始時刻、動作終了時刻）をＣＵＰ１１に通知することができるようにされている。
このタイマ４５はユーザ設定によりＲＡＭ１３にタイマ指定時刻が格納された状態で起動され、後述する割り込み処理によってタイマ４５による現在時刻とＲＡＭ１３に格納されているタイマ指定時刻の比較を行う。そして、現在の時刻が動作開始時刻と一致したときにＣＰＵ１１に対して動作開始通知を行い、また現在の時刻が動作終了時刻と一致したときにＣＰＵ１１に対して動作終了通知を行うようにされている。なお、ＲＡＭ１１にはタイマ指定時刻とともに、例えばチューナによる放送番組の受信、ＣＤ−ＲＯＭ１７の再生などといった動作内容に対応した指定動作情報も格納される。つまり、ユーザによってタイマ機能によって何時何分にどのような動作が開始されるかが設定され、タイマ４５はこの設定された情報を実行するためにＣＰＵ１１に対して所要の通知処理を行う。
【００３２】
ＣＰＵ１１はタイマ４５からの通知を受けると、ＲＡＭ１３に格納された指定動作情報に基づいた動作制御を行う。さらに、本実施の形態ではタイマ４５からの動作開始に関わる通知を受けた場合、動作制御を実行するとともに表示部２４に対してタイマ動作実行中を示すシンボル（アクティブマーク）を表示する制御を行う。なお、このシンボルについては後で詳しく説明する。
【００３３】
ＣＤ−ＲＯＭドライブ１７にはＣＤ方式の光ディスク（オーディオＣＤ、ＣＤ−ＲＯＭ、ＣＤテキスト等）が、図２に示したＣＤ−ＲＯＭドライブ１７のＣＤ挿入部から装着されるとともに、１倍速或いはより高速、例えば１６倍速、３２倍速で光学ピックアップにより光ディスクに記憶される情報が読み出される。
【００３４】
またＭＤドライブ１８にはＭＤ方式の光ディスクまたは光磁気ディスク（オーディオＭＤ、ＭＤデータ等）が図２に示したＭＤドライブ１８のＭＤ挿入部から装着されるとともに、光学ピックアップによりディスクに記憶される情報が読み出される。もしくは装着されたディスクに対して情報の記録を行うことができる。
【００３５】
なお、本実施の形態ではＣＤ−ＲＯＭドライブ１７、ＭＤドライブ１８を設けた例をあげているが、このいづれか一方のみを設けたり、もしくは情報が記憶されているメディアとして他のメディア（例えばＭＯディスクと呼ばれる光磁気ディスクや他の方式の光ディスク、磁気ディスク、メモリカード等）に対応するドライブが設けられてもかまわない。
【００３６】
チューナ４６は、各種放送電波に対応したアンテナからなるアンテナ部Ａｎｔを介してテレビジョン放送（地上波放送、衛星放送）や、ＡＭ放送、ＦＭ放送などのラジオ放送の放送番組を選択して受信することができるようにされている。また、チューナ４６はＡ／Ｄ変換器（図示せず）が備えられており、選択した放送番組の受信信号をデジタルのオーディオデータに変換して出力するようにされている。
【００３７】
この記録再生装置１０の内部の大容量の格納手段としては、ハードディスクに対して情報の記録再生を行うハードディスクドライブ（hard disk drive ：以下ＨＤＤという）１５が設けられている。このＨＤＤ１５は、例えばＣＤ−ＲＯＭドライブ１７やＭＤドライブ１８から読み出される例えば楽曲データなどとされるオーディオ情報や、このオーディオ情報のファイルに関連する付加情報として、ディスクタイトル、曲名（トラックネーム）、アーティスト名、歌詞などのテキストデータ、楽曲イメージやアーティストの画像、アルバムジャケットなどの画像データを格納することができるようにされている。
またＨＤＤ１５は、例えばチューナ４６によって選択された放送番組としてのオーディオ情報を格納することができる。
【００３８】
また、オーディオデータに関してＡＴＲＡＣ２方式（Adaptive Transform Acoustic Coding ２）の圧縮エンコードを行うエンコーダ２８、およびオーディオデータに関してＡＴＲＡＣ２方式の圧縮に対するデコードを行うデコード２９が設けられる。
エンコーダ２８、デコーダ２９はＣＰＵ１１の制御に応じて、供給されたオーディオデータに関するエンコード、デコードを行う。
また処理対象となっているオーディオデータを一時的に格納するためのバッファメモリ１６が設けられる。バッファメモリ１６はＣＰＵ１１の制御によりデータの書込／読出が行われる。
【００３９】
例えばＣＤ−ＲＯＭドライブ１７でディスクから読み出されたオーディオデータをＨＤＤ１５に格納する場合、ＨＤＤ１５にオーディオデータを記憶する前処理として、バッファメモリ１６にディスクから読み出されたオーディオデータが一時記憶されるとともに、そのオーディオデータがエンコーダ２８に供給されてＡＴＲＡＣ２方式のエンコードが行われる。さらにエンコーダ２８でエンコードされたデータがバッファメモリ１６に再び一時記憶され、最終的にＨＤＤ１５にエンコードされたオーディオ情報が蓄積されることになる。
【００４０】
なお本実施の形態では、エンコーダ２８によりＡＴＲＡＣ２方式でエンコードされたオーティオデータがＨＤＤ１５に蓄積されるようにしているが、例えばＣＤ−ＲＯＭドライブ１７から読み出されるデータがそのままＨＤＤ１５に蓄積されるようにしてもかまわない。
【００４１】
エンコーダ２８では、ＣＤ−ＲＯＭドライブ１７に装着されるメディアから読み出されたデータがエンコードされるだけではなく、マイクロホンが接続されたマイク端子ｔａ３からアンプ３２を介して入力されるオーディオ信号、或いは他のＣＤプレーヤ等の機器が接続されたライン入力端子ｔａ２から入力されるオーディオ信号が、Ａ／Ｄ変換器３１を介して入力されるように構成されており、これらの入力されたオーディオデータもエンコーダ２８によりエンコードすることができる。
さらに、光デジタル端子ｔａ４に接続された外部機器（例えばＣＤプレーヤ等）から入力されたデータがＩＥＣ９５８(International Electrotechnical Commission 958) エンコーダ３０を介してエンコーダ２８に入力されるように構成され、このように光デジタル方式で入力されたデータもエンコーダ２８によりエンコードできる。
【００４２】
そして、これらのように外部機器から入力されたデータをエンコーダ２８でエンコードした後に、そのエンコードされたデータをＨＤＤ１５に例えばファイル単位で格納できるようにされている。
【００４３】
なおエンコーダ２８のエンコードアルゴリズムとしてはＡＴＲＡＣ２（商標）を用いたが、情報圧縮されるエンコードアルゴリズムであればよく、ＡＴＲＡＣ（商標）、ＭＰＥＧ(moving picture coding experts group) 、ＰＡＳＣ(precision adaptive sub-band coding)、ＴｗｉｎＶＱ（商標）、ＲｅａｌＡｕｄｉｏ（商標）、ＬｉｑｕｉｄＡｕｄｉｏ（商標）等であってもかまわない。
【００４４】
また記録再生装置１０には、通信回線３として、通信端子ｔａ５に接続される外部ネットワークであるインターネット、ＴＥＬネットワーク、ケーブルＴＶ、ワイヤレスネットワーク等に接続可能なインターフェースであるモデム１９が備えられている。
そしてモデム１９を介して遠隔地のサーバに何らかのサービスを求めるリクエスト信号、或いはＣＤ−ＲＯＭドライブ１７に装着されるメディア情報、ユーザＩＤ、ユーザ情報、ユーザ課金情報等が送出される。
【００４５】
外部ネットワークのサーバ（通信回線３で通信可能なサーバ）側ではユーザＩＤによる照合処理、課金処理、ディスク情報からの音楽付加情報、例えば曲のタイトル、アーティスト名、作曲家、作詞家、歌詞、ジャケットイメージ等の検索が行われ、ユーザがリクエストした所定の付加情報を記録再生装置１０側へ返信するような動作が可能となる。
ここで、音楽に対する付加的な関連情報を返信する例を示したが、ユーザがリクエストする曲情報が直接外部ネットワークからダウンロードされるように構成してもよい。また、メディア情報に対応して曲情報が返信されるように構成して所定のメディアのボーナストラックが配信により取得されるように構成してもよい。
【００４６】
ＨＤＤ１５に蓄積されたオーディオ情報は、デコーダ２９によりデコードされ、Ｄ／Ａ変換器３３、アンプ３４を介してスピーカ３５により再生出力することができる。もしくはヘッドホン端子ｔａ１にヘッドホンを接続することで、ヘッドホンより再生出力させることができる。
ここではデコーダ２９はＡＴＲＡＣ２方式のデコードを行うものとしているが、エンコーダ２８のエンコードアルゴリズムに対応するデコードアルゴリズムであればよい。
また、エンコードおよびデコードのためのハードウェアを持たず、ＣＰＵ１１によるソフトウェア処理であってもよい。
【００４７】
また、ＣＤ−ＲＯＭドライブ１７に装着されているＣＤについても同様に再生させることができる。
すなわちＣＤに各トラックとして収録されている各楽曲データは、ＣＤ−ＲＯＭドライブ１７において、バッファメモリ１５の容量に応じてＣＤから読み出されてバッファメモリ１５に格納されていき、バッファメモリ１５から連続的に所定レートでデコーダ２９に供給される。ただしＣＤでは記録されるデータは非圧縮であるため、ＣＤ再生時にはデコーダ２９はスルー状態とされて、再生データはＤ／Ａ変換器３３に供給される。そして、Ｄ／Ａ変換器３３でアナログ音声信号とされた後、アンプ３４を介してスピーカ３５により再生音声として出力することができる。もしくはヘッドホン端子ｔａ１にヘッドホンを接続することで、ヘッドホンより再生出力させることができる。
同様に、非圧縮とされるチューナ４６の場合もデータはデコーダ２９はスルー状態とされる。受信データはＤ／Ａ変換器３３によってアナログ音声信号とされた後、アンプ３４を介してスピーカ３５により再生音声として出力することができる。もしくはヘッドホン端子ｔａ１にヘッドホンを接続することで、ヘッドホンより再生出力させることができる。
【００４８】
またＭＤドライブ１８に装着されているＭＤについても再生出力することができる。すなわちＭＤドライブ１８でＭＤから読み出されたデータは、バッファメモリ１６を介してデコーダ２９に供給されて圧縮処理に対するデコードが行われる。そして、Ｄ／Ａ変換器３３、アンプ３４を介してスピーカ３５により再生音声として出力される。もしくはヘッドホン端子ｔａ１にヘッドホンを接続することで、ヘッドホンより再生出力させることができる。
【００４９】
さらに、ＨＤＤ１５に蓄積されるオーディオデータ等のファイルをユーザが管理、制御するためのインターフェースとして、図２にも示したように表示部２４が設けられているが、表示部２４は表示ドライバ２５によって表示駆動される。
表示部２４ではＣＰＵ１１の制御に基づいて所要の文字、記号、操作用アイコン等が表示される。本実施の形態では操作用アイコンとして、タイマ予約による動作中（タイマ予約動作）にのみ、現在タイマ予約によって動作していることを示すシンボルが表示される。さらに、このシンボルはタイマ予約による動作中であることを示すとともに、タイマ動作の終了時間を無効にするための操作用アイコンとしても機能するようにされる。
【００５０】
また表示部２４にはオーディオファイル（なお、楽曲等のオーディオデータが記録されたファイルを説明上オーディオファイルという）などに対応するフォルダ、或いはジャケットイメージが表示され、上記入力ペン９３のようなポインティングデバイスによる操作が可能とされる。例えば表示上でユーザが指示したオーディオファイルが再生されるような動作が可能となる。
もちろん、マウスによるクリック操作や、ユーザが指で触れる等のタッチ操作方式も考えられる。
【００５１】
また表示部２４での表示を用いて、選択されたオーディオファイルの消去や、外部機器（例えば携帯装置５０）への複写、移動等も制御可能である。
或いは、表示部２４は、ＣＤ−ＲＯＭドライブ１７に装着されるメディアのＴＯＣ（table of contents） 情報を基にインターネット上のＷＷＷ(world wide web)サイトから検索された関連情報としてのｈｔｍｌ(hyper text markup language) 文書がグラフィック表示されるように構成され、さらに通常のインターネットブラウザとしても使用可能となっている。
【００５２】
また記録再生装置１０では、ＩＥＥＥ１３９４インターフェース３７、ＩＥＥＥ１３９４ドライバ３６を介して、端子ｔａ７に接続された各種機器やシステム、例えば衛星放送用のＩＲＤ、ＭＤプレーヤ、ＤＶＤプレーヤ、ＤＶプレーヤ等からオーディオ情報が取り込まれるように構成されている。
更なる付加機能としてＰＣＭＣＩＡ(Personal Computer Memory Card International Association) スロット３９がＰＣＭＣＩＡドライバ３８を介して設けられ、ＰＣＭＣＩＡカードが装着可能となっており、外部記憶装置、その他のメディアドライブ、モデム、ターミナルアダプタ、キャプチャボード等様々な周辺機器の拡張が容易である。
【００５３】
さらに図２で説明したように記録再生装置１０には携帯装置５０と接続する際のコネクタ２７が設けられている。コネクタ２７と、携帯装置５０側のコネクタ６０とが接続されることにより、ＣＰＵ１１はインターフェースドライバ２６を介して携帯装置５０側と各種のデータ通信が可能となる。例えばＨＤＤ１５に蓄積されているオーディオファイルを転送することができる。
【００５４】
４．表示部の表示例
図４は表示部２４の表示形態の一例を示す図であり、図４（ａ）は通常動作時の表示例、図４（ｂ）はタイマ動作時の表示例を示している。なお、図４では例えばＨＤＤ１５に記録されているＣＤのオーディオファイルを選択して再生を行っている状態の一例を示している。
図４（ａ）に示されているように音源情報２４ａは現在選択されている音源が示され、この図ではＨＤＤ１５が選択されていることを示している。この他、選択中の音源に対応して「ＣＤ」「ＭＤ」「Ｔｕｎｅｒ」などの表示が行われる。
また表示部２４には、ディスクタイトル情報２４ｂ、ジャケットイメージ情報（画像）２４ｃ、オーディオファイル情報（トラックネーム）２４ｄなどの各情報が表示される。
オーディオファイル情報２４ｄは、再生を行うトラックの選択操作画像としても用いられ、例えば入力ペン９３などによる所望するトラックネームを選択することにより、楽曲選択を行うことができる。なお、現在選択されている楽曲（トラックネーム）は例えば反転表示（ハッチングで図示している）するようにされ、動作状況を容易に把握することができる表示形態を採ることができるようにされている。
また、演奏時間情報２４ｅは現在選択されて演奏されている楽曲（オーディオファイル情報２４ｄにおいて反転表示中）の経過時間または残り時間などの情報が表示される。
【００５５】
なお、図４（ａ）に示す例は一例であり、この表示形態を１つのページ表示とした場合、他の操作子などの操作情報（例えばＭＤドライブ１８の編集、チューナ４６による放送番組の選択アイコン）が表示されている他のページを適宜選択して表示することも可能である。他のページの例としては、例えばタイマ予約を行う設定ページとして、タイマ指定時刻（開始時刻、終了時刻）や動作させる音源の種類、動作内容（録音、再生）などの設定を行う項目が表示されるようにしてもよい。
【００５６】
このように、記録再生装置１０が通常の動作としてＨＤＤ１５に記録されているオーディオファイルの再生を行う場合、図４（ａ）に示すような各種情報が表示されるが、タイマ予約によって図４（ａ）と同様にオーディオファイルの再生を行う場合、図４（ｂ）に示されているようにアクティブマーク４８が表示される。
このアクティブマーク４８は、記録再生装置１０がタイマ予約によって動作しているときにのみ表示される特定画像とされ、記録再生装置１０における指定動作の動作中においてタイマ予約によるタイマ指定時刻（終了時刻）を無効にするするための操作子とされる。すなわち、タイマ動作中にアクティブマーク４８を操作するとタイマ予約がキャンセルされ、終了時刻として設定されていた時刻以降も指定動作を継続させることができるようになる。
したがって、図４（ｂ）に示す状態でアクティブマーク４８の操作を行うと、アクティブマーク４８は消去され、図４（ａ）に示す例と同じような表示形態に移行するようになる。
【００５７】
つまりまたアクティブマーク４８は、必要とされるタイマ動作中以外には表示されないので、表示部２４において不要な操作子が表示されることによって、ユーザが操作上の混乱を起こすことを抑制することができる。
【００５８】
なお、先述したように、表示部２４における表示形態はユーザが所望するページを選択することも可能とされるが、表示するページが切り替わった場合でもアクティブマーク４８については表示が継続される。つまり、アクティブマーク４８はタイマ予約による動作中には常に表示するようにされている。
【００５９】
５．タイマ予約時の処理動作
図５は、タイマ予約が行われた場合のＣＰＵ１１の処理動作例を説明するフローチャートである。
タイマ予約を行う場合、ユーザが例えば表示部２４においてタイマ予約設定に対応した操作画像を選択することによってタイマ予約設定処理に移行する（Ｓ００１）。タイマ予約設定処理においては、タイマ指定時刻（開始時刻、終了時刻）や指定動作（動作させる音源の種類、動作内容（録音、再生）、放送番組の受信）などのタイマ予約情報が設定され、設定されたタイマ予約情報はＲＡＭ１３の所定の領域に格納する。このようにしてタイマ予約設定処理が終了するとタイマ４５を起動して（Ｓ００２）、タイマ予約済み処理に移行する（Ｓ００３）。
【００６０】
タイマ予約済処理は例えば図６に示されているフローチャートのステップＳ１０１からＳ１０４などによる処理行程とされる。
まず、ステップＳ００１においてＲＡＭ１３に格納されたタイマ指定時刻と動作させる音源の種類、動作内容を参照して、ＲＡＭ１３において監視情報を設定する（Ｓ１０１）。この監視情報とはタイマ指定時刻に対応した監視時刻や音源の種類や動作内容などとされる。そして、タイマ４５の計時機能に基づいて毎分「００」秒毎、すなわち１分毎に通知割り込み処理を許可するようにする（Ｓ１０２）。そして、表示部２４の表示を消去して（Ｓ１０３）、例えば電源スイッチ以外の操作入力を無視する動作に移行する（Ｓ１０４）。
【００６１】
このようなタイマ予約済み処理（Ｓ００３）を経ると、図５に示されているようにタイマ４５からの開始時刻通知を受けたか否かの判別を行う（Ｓ００４）。この開始時刻通知とは、図６に示したステップＳ１０２によって許可したタイマ４５の割り込み処理によって受ける通知とされる。
【００６２】
ここで、図７に示されているフローチャートにしたがいタイマ４５における割り込み処理の処理行程の一例を説明する。
タイマ４５はＣＰＵ１１によって起動された後、毎分「００」秒になったか否かの検出を行うようにされ（Ｓ２０１）、毎分「００」秒になったときに、現在時刻を（時、分）を検出して（Ｓ２０２）、現在時刻とＲＡＭ１３に格納されている監視時刻の比較を行う（Ｓ２０３）。そして現在時刻と監視時刻が一致している場合、監視時刻が開始時刻であるか終了時刻であるかの判別を行い（Ｓ２０４）、開始時刻であると判別した場合はＣＰＵ１１に対してタイマ予約の開始時刻の到来を通知する処理を行う（Ｓ２０５）。この通知処理としては、ＣＰＵ１１が定期的に所要のポートを監視しているのであれば、当該ポートに書きこむようにする。また、メッセージ通信を行うことができるようにされている場合は、所要のメッセージによる通知を行うようにしてもよい。そして、開始時刻の通知を行うと、図５のタイマ予約設定処理（Ｓ００１）によってＲＡＭ１３設定された終了時刻を監視時刻として設定する（Ｓ２０６）。
【００６３】
また、監視時刻が終了時刻であると判別した場合は（Ｓ２０４）、ＣＰＵ１１に終了時刻の到来を通知する処理を行う（Ｓ２０７）。この通知処理についてもステップＳ２０５と同様に、ＣＰＵ１１の所要のポートに書き込みを行うか、またはメッセージ通信などによって行われる。
タイマ４５ではこのような通知割り込み処理を行うが、ＣＰＵ１１では後述するようにステップＳ００４、ステップＳ０１６による処理行程において通知内容にもとづいた判断が行われる。
【００６４】
図５に示したタイマ予約済み処理（Ｓ００３）以降、図７に示したように、例えば開始時刻が到来するまで１分毎に時刻の監視が行われ、例えば開始時刻が到来した時点でＣＰＵ１１に対して開始時刻通知が行われる。
【００６５】
以下、図５に戻り開始時刻通知を受けた後のＣＰＵ１１の処理行程の一例を説明する。
タイマ４５からの開始時刻通知を検出すると（Ｓ００４）、表示部２４に対して表示制御を開始して（Ｓ００５）例えば図４（ｂ）に示したように、所要の動作状況とアクティブマーク４８を表示させる処理を行う（Ｓ００６）。そして、タイマ予約設定処理によって設定された指定動作を開始する制御を行い（Ｓ００７）、タイマ動作モードに移行する（Ｓ００８）。このタイマ動作モードとは、タイマ４５によって監視されるタイマ指定時刻（開始時刻、終了時刻）の間において所要の動作を行う動作モードとされる。
タイマ動作モードに移行すると、表示部２４に表示されているアクティブマーク４８に対してユーザの操作が行われたか否かの判別を行う（Ｓ００９）。なお、これ以降アクティブマーク４８の入力か、タイマ４５の通知割り込み処理Ｓ２００による終了時刻通知を受けるまではタイマ動作モードが継続される。
【００６６】
ステップＳ００９においてアクティブマーク４８の操作が検出された場合、タイマ４５に対して割り込み処理を禁止させる指示を行い（Ｓ０１０）、ＲＡＭ１３に格納した監視情報をクリアする（Ｓ０１１）。
なお、ステップＳ００９におけるアクティブマーク４８の検出については、表示部２４において入力ペン９３などによってアクティブマーク４８が押されたときの座標値を入力検出部４２において検出することによって行われる。入力検出部４２では検出された座標値が、表示部２４におけるどの位置に示されているオブジェクトに対応したものであるかを検索し、アクティブマーク４８に対応した座標値であった場合に、入力検出部４２はＣＰＵ１１に対してアクティブマーク４８に対する操作が検出されたことを通知する。
【００６７】
そして、表示部２４においてアクティブマーク４８を消去し（Ｓ０１２）、さらにステップＳ００１で設定されたタイマ予約情報をキャンセル（ＲＡＭ１３における予約情報のクリア）する（Ｓ０１３）。これによって、タイマ予約情報や監視時刻に関わらず所要の動作を行う通常動作モードに移行する（Ｓ０１４）。つまり、タイマ予約によって指定動作が実行されている場合に、アクティブマーク４８を操作すると予約内容をキャンセルすることができるようになり、予約時に設定した終了時刻以降も引き続いて再生動作を行うことができるようになる。この場合の表示部２４の表示形態としては図４（ａ）に示した状態に対応したものとなる。
【００６８】
また、アクティブマーク４８の操作が検出されない場合は（Ｓ００９）、タイマ４５から通知割り込み処理Ｓ２００によって終了時刻通知を受けたか否かの判別を行う（Ｓ０１６）。ここで、終了時刻通知が検出されない間はアクティブマーク４８の操作が行われたか否かの判別を行うようにする。
そしてアクティブマーク４８の操作が検出されずに終了時刻通知を受けると、タイマ４５に対して割り込み処理を禁止させる指示を行い（Ｓ０１７）、ＲＡＭ１３に格納した監視情報をクリアする（Ｓ０１８）。さらに、表示部２４においてアクティブマーク４８を消去し（Ｓ０１９）、ステップＳ００１で設定された予約内容をキャンセル（ＲＡＭ１３におけるタイマ予約情報のクリア）する（Ｓ０２０）。
そして、タイマ予約の終了に伴い、指定動作を終了させる終了処理を行う（Ｓ０２１）。なお、終了処理として例えば記録再生装置１０の電源をオフなどといった制御を行うようにしてもよい。
【００６９】
ステップＳ０１６からステップＳ０２１に示したように、アクティブマーク４８が操作されない場合は、タイマ予約設定処理（Ｓ００１）において設定された終了時刻に指定動作の動作を終了させることができる。
また、本実施の形態においてフローチャートには、タイマ予約とされない状態で、記録再生装置１０が指定動作を行っている場合は、アクティブマーク４８は表示されないので、ユーザに対して表示部２４における視覚的な煩わしさを与えず、さらには誤操作を引き起こすことを防止することができるようになる。
【００７０】
なお、図５に示したフローチャートの処理行程では、予約内容（開始時刻、終了時刻）はアクティブマーク４８の操作によってクリアされる例をあげたが、予約内容としては、例えば毎日、毎週、月曜から金曜、月曜から土曜なと、繰り返し行われるような場合も考えられる。このような場合、タイマ４５の動作のみを停止させて通常の動作状態に移行し、予約内容および監視情報についてはクリアせずにＲＡＭ１３に保持しておくようにしてもよい。
【００７１】
また、上記実施の形態ではアクティブマーク４８によってタイマ４５の動作を停止させる例を説明したが、アクティブマーク４８の操作を行ったときに、その後の処理をユーザが選択可能となるようにしてもよい。
この場合、表示部２４において先ほど図４（ｂ）に示したような表示が行われている状態で、アクティブマーク４８の入力操作を行うと、例えば図８に示されているような表示が行われるようにする。すなわち、アクティブマーク４８の入力操作に基づいてウインドウ形式のメニュー画像４９を表示するようにして、このメニュー画像４９によって処理項目の選択を行う。この図に示す例では、例えば、上記実施の形態のようにタイマ４５の動作のみを停止させ、現在行われている指定動作を継続して行う「タイマ中断」、タイマ４５の処理を停止させるとともに、現在行われている指定動作も停止させる「動作中断」、および処理項目の選択を行わずに当該メニュー画面４９を消去する「閉じる」という例えば３個の操作項目が示されている。
【００７２】
操作手順としては、例えば入力ペン９３などによってアクティブマーク４８に対して入力操作することによりメニュー画面４９を表示させ、さらにこのメニュー画面４９に表示されているユーザが所望する操作項目を、入力ペン９３によって入力操作することで、当該操作項目に対応した処理が実行される。
つまり、タイマ４５の動作のみを停止させたい場合は「タイマ中断」を選択し、現在行われている指定動作も停止させたい場合は「動作中断」を選択する。また、メニュー画面４９を表示させたが、このままタイマ４５の動作に基づいて指定動作を継続させたい場合は、「閉じる」を選択して図４（ｂ）に示した状態に移行することができるようになる。
【００７３】
なお、メニュー画面４９に表示される操作項目は一例であり、図８に示した例に限らず、ユーザにとって必要とされる操作を実現することができる項目を表示するようにすればよい。
【００７４】
また、上記実施の形態では、ＣＤ−ＲＯＭドライブ１７、ＭＤドライブ１８、チューナ４６などが一体的に構成された記録再生装置１０を例に挙げて説明したが、それぞれが別体で構成されている場合にも本発明を適用することができる。
さらに、記録再生装置１０などのような例えば音楽などの再生、記録などを行うオーディオ機器などに限らず、例えばエアコンなどのようにタイマ予約によって動作制御（動作開始、動作終了）を行うことができる各種電子機器に適用することが可能である。
【００７５】
【発明の効果】
以上、説明したように本発明は、タッチ入力操作が可能な表示手段を備え、タイマ予約によって再生動作、記録動作などの指定動作が実行されている場合にのみ、このタイマ予約を無効にすることができる特定画像としての操作子（アクティブマーク）を前記表示手段に対して表示することができるようにされている。したがって、現在タイマ予約による動作が行われていることを表示することができるとともに、タイマ動作を容易に無効にすることができるようになる。これにより、タイマ予約による終了時刻後も引き続いて指定動作を継続させたい場合、煩雑な操作を必要とせず、前記操作子を操作することにより指定動作を継続させることができるようになる。
また、タイマ予約による動作以外のときには、前記操作子は表示されないので、表示手段の表示形態の煩雑さを抑制するとともに、必要のない操作子が表示されていることによる誤操作などを防止することができる。
【００７６】
さらに、前記操作子を操作することによって、例えばタイマ動作を無効にするか、またはタイマ動作に基づいた指定動作まで停止させるかなどの処理形態を選択することができる。これにより、ユーザの使い勝手に対応した所望する処理を選択して行うことができるようになる。
【図面の簡単な説明】
【図１】本発明の実施の形態の記録再生装置を含む情報配信システムの説明図である。
【図２】実施の形態の記録再生装置及び携帯装置の説明図である。
【図３】実施の形態の記録再生装置のブロック図である。
【図４】実施の形態の記録再生装置における表示部の表示形態の一例を説明する図である。
【図５】タイマ動作に関わるＣＰＵの処理行程の一例を説明するフローチャートである。
【図６】図５に示すタイマ予約済処理の処理行程の一例を説明するフローチャートである。
【図７】図５に示すタイマの通知割り込み処理の処理行程の一例を説明するフローチャートである。
【図８】本発明の他の実施の形態とされる表示部の表示形態の一例を説明する図である。
【符号の説明】
１  情報センタ、３  通信回線、１０  記録再生装置、１１  ＣＰＵ、１２  ＲＯＭ、１３  ＲＡＭ、１４  フラッシュメモリ、１５  ＨＤＤ、１６  バッファメモリ、１７  ＣＤ−ＲＯＭドライブ、１８  ＭＤドライブ、１９  モデム、２０  パネル操作部、２２  赤外線インターフェースドライバ、２３  ＵＳＢドライバ、２４  表示部、２４ａ  音源情報、２４ｂ  ディスクタイトル情報、２４ｃ  ジャケットイメージ情報、２４ｄ  オーディオファイル情報、２４ｅ  演奏時間情報、２５  表示ドライバ、２６  インターフェースドライバ、２７  コネクタ、２８  エンコーダ、２９  デコーダ、３０  ＩＥＣ９５８エンコーダ、３１  Ａ／Ｄ変換器、３２  マイクアンプ、３３  Ｄ／Ａ変換器、３４  アンプ、３５  スピーカ、３６  ＩＥＥＥ１３９４ドライバ、３７  ＩＥＥＥ１３９４インターフェース、３８  ＰＣＭＣＩＡドライバ、３９  ＰＣＭＣＩＡスロット、４１  ペンドライバ、４２  入力検出部、４５  タイマ、４６  チューナ、４８  アクティブマーク、９０  キーボード、９１  リモートコマンダー、９３  入力ペン
【図１】
0004265011.tif 000002
【図２】
0004265011.tif 000003
【図３】
0004265011.tif 000004
【図４】
0004265011.tif 000005
【図５】
0004265011.tif 000006
【図６】
0004265011.tif 000007
【図７】
0004265011.tif 000008
【図８】
0004265011.tif 000009